(57)【特許請求の範囲】
【請求項１】
前身頃、股下部、後身頃の各部から形成され、
第１吸収体と、少なくとも一部が液透過性材料からなり、前記第１吸収体の上面を被覆するように配置されたトップシートと、液不透過性材料からなり、前記第１吸収体の下面を被覆するように配置されたバックシートと、前記トップシートのうち便落下領域より前方の領域の少なくとも一部を被覆するように配置された吸収パッドと、を備え、
前記吸収パッドは、第２吸収体と、少なくとも一部が液透過性材料からなり、前記第２吸収体の上面を被覆するように配置された上被覆シートと、前記第２吸収体の下面を被覆するように配置された下被覆シートと、前記吸収パッドを立体的に起立させる起立用伸縮材とを有するものであり、
前記起立用伸縮材は、おむつの前後方向に沿って配置され、
前記吸収パッドは、前記トップシートの表面に対して接合されており、
前記吸収パッドと前記トップシートとの接合部は、前記吸収パッドの左側縁部、前端縁部及び右側縁部が前記トップシートの表面に対して連続的に接合されるように形成され、
前記吸収パッドの後端縁部は、前記トップシートの表面に対して非接合の状態となっており、
前記起立用伸縮材は、その後端が、前記吸収パッドの左側縁部及び右側縁部に形成された前記接合部の後端より後方に突出し、かつ、前記吸収パッドの後端まで配置されている使い捨ておむつ。
【発明の詳細な説明】
【技術分野】
【０００１】
本発明は、吸収体、トップシート、バックシートを備えた使い捨ておむつに関するものである。詳しくは、軟便や水様便が性器周りに付着し難い使い捨ておむつに関するものである。
【背景技術】
【０００２】
近年、乳幼児用、或いは高齢者・障害者用のおむつとして、吸収体と、少なくとも一部が液透過性材料からなり、吸収体の上面を被覆するように配置されたトップシートと、液不透過性材料からなり、吸収体の下面を被覆するように配置されたバックシートとを備えた使い捨ておむつが汎用されている。
【０００３】
このような使い捨ておむつは、トップシートの表面を着用者の肌に接するように宛がって使用することにより、着用者の排泄した尿はトップシートを透過して、吸収体によって吸収・保持されるとともに、防漏性に優れたバックシートによって、排泄物のおむつ外部への漏洩が防止されるものである。
【０００４】
しかしながら、前記のような構成の使い捨ておむつは、尿の吸収・保持を念頭に作られたものであり、軟便や水様便の吸収・保持についてはあまり考慮されていなかった。即ち、軟便や水様便は固形分を含み粘性があるため、尿と比較してトップシートを透過し難い。従って、トップシートを透過し、吸収体に吸収される前に、トップシートの表面上を流動して広い領域に拡散し、性器周りを汚してしまい易いという問題がある。
【０００５】
そこで、吸水性シートによって被包された吸収性芯材からなる吸水性パネル（吸収パッド）を表面シート（トップシート）上の前身頃側の領域に配置するとともに、その吸水性パネルに吸水性パネルを起立させるためのスペーサー（起立用伸縮材）を配置した使い捨ておむつが提案されている（例えば、特許文献１参照）。
【０００６】
前記使い捨ておむつは、スペーサーの収縮によって、吸水性パネルが表面シートから弧を描くように離間するため、性器が直接接触している吸水性パネルを、軟便や水様便が流動・拡散する表面シートから離間させることができる。従って、軟便や水様便を性器に付着させ難くし、性器が汚される事態を防止することができるとされている。
【０００７】
【特許文献１】特開２００５−３３４５３７号公報
【発明の開示】
【発明が解決しようとする課題】
【０００８】
しかしながら、前記の使い捨ておむつは、必ずしも吸水性パネルを表面シートから離間させることができるものではなく、軟便や水様便が性器に付着し、性器が汚される不具合が発生するおそれがあった。即ち、軟便や水様便を性器周りに付着させ難くし、性器周りが汚される事態を防止するという効果の面で未だ不十分なものであり、解決すべき課題が残されていた。
【０００９】
本発明は、このような従来技術の課題を解決するためになされたものであって、軟便や水様便を性器周りに付着させ難くし、性器周りを汚す事態を防止する効果が高い使い捨ておむつを提供するものである。
【課題を解決するための手段】
【００１０】
本発明者らは、前記の従来技術の課題を解決するために鋭意検討した結果、特許文献１に記載の使い捨ておむつは、吸水性パネル（吸収パッド）を起立させるためのスペーサー（起立用伸縮材）がおむつの左右方向に向かって配置されているために、吸水性パネルを十分に起立させることができず、表面シート（トップシート）との離間が不十分となっているという知見を得た。そして、吸収パッドに配置する起立用伸縮材の配置方法を工夫することによって、前記課題が解決されることに想到し、本発明を完成させた。具体的には、本発明により、以下の使い捨ておむつが提供される。
【００１１】
［１］  前身頃、股下部、後身頃の各部から形成され、第１吸収体と、少なくとも一部が液透過性材料からなり、前記第１吸収体の上面を被覆するように配置されたトップシートと、液不透過性材料からなり、前記第１吸収体の下面を被覆するように配置されたバックシートと、前記トップシートのうち便落下領域より前方の領域の少なくとも一部を被覆するように配置された吸収パッドと、を備え、前記吸収パッドは、第２吸収体と、少なくとも一部が液透過性材料からなり、前記第２吸収体の上面を被覆するように配置された上被覆シートと、前記第２吸収体の下面を被覆するように配置された下被覆シートと、前記吸収パッドを立体的に起立させる起立用伸縮材とを有するものであり、前記起立用伸縮材は、おむつの前後方向に沿って配置され、前記吸収パッドは、前記トップシートの表面に対して接合されており、前記吸収パッドと前記トップシートとの接合部は、前記吸収パッドの左側縁部、前端縁部及び右側縁部が前記トップシートの表面に対して連続的に接合されるように形成され、前記吸収パッドの後端縁部は、前記トップシートの表面に対して非接合の状態となっており、前記起立用伸縮材は、その後端が、前記吸収パッドの左側縁部及び右側縁部に形成された前記接合部の後端より後方に突出し、かつ、前記吸収パッドの後端まで配置されている使い捨ておむつ。
【発明の効果】
【００１４】
本発明の使い捨ておむつは、軟便や水様便を性器周りに付着させ難くし、性器周りを汚す事態を防止する効果が高いものである。
【発明を実施するための最良の形態】
【００１５】
以下、本発明の使い捨ておむつを実施するための最良の形態について説明する。但し、本発明はその発明特定事項を備える使い捨ておむつを広く包含するものであり、以下の実施形態に限定されるものではない。
【００１６】
なお、「前身頃」とは、着用者におむつを装着した際に、着用者の腹側（身体前方）を覆う部分、「股下部」とは、着用者におむつを装着した際に、着用者の股下を覆う部分、「後身頃」とは、着用者におむつを装着した際に、着用者の背側（身体後方）を覆う部分を意味するものとする。
【００１７】
また、本明細書において、「股下部領域」というときは、各構成部材（例えば、トップシート等）のうち、おむつの股下部に相当する部分に存在する領域を意味するものとする。「前身頃領域」、「後身頃領域」も同様である。また、「便落下領域」とは、おむつを着用した状態において、着用者の肛門の直下に位置する領域を意味し、通常は、トップシートの股下部領域及び／又は後身頃領域の一部に存在する。
【００１８】
［１］本発明の使い捨ておむつの特徴部分の構成：
図１〜図４に示す使い捨ておむつ１Ａは、トップシート１８のうち便落下領域５２Ａより前方の領域の少なくとも一部を被覆するように配置された吸収パッド５０Ａを備え、吸収パッド５０Ａは、第２吸収体５４Ａと、少なくとも一部が液透過性材料からなり、第２吸収体５４Ａの上面を被覆するように配置された上被覆シート５６Ａと、第２吸収体５４Ａの下面を被覆するように配置された下被覆シート５８Ａと、吸収パッド５０Ａを立体的に起立させる起立用伸縮材６０Ａとを有するものである。そして、起立用伸縮材６０Ａは、おむつの前後方向に沿って配置され、吸収パッド５０Ａは、トップシート１８の表面に対して接合されており、吸収パッド５０Ａとトップシート１８との接合部６２Ａは、吸収パッド５０Ａの前端縁部に形成されている。
【００１９】
起立用伸縮材６０Ａをおむつの前後方向に沿って配置すると、吸収パッド５０Ａに、おむつの前後方向に収縮する力が作用する。しかし、剛性の高い第２吸収体５４Ａが前記収縮を阻害するため、吸収パッド５０Ａは上下いずれかの方向に反る変形をし易くなる。また、吸収パッド５０Ａはその前端縁部が、剛性の高い第１吸収体２２と一体的に形成されたトップシート１８に固定されている。従って、図５に示すように、吸収パッド５０Ａの後端側が上側に向かって反り返り、その部分が立体的に起立する。このような構成は、トップシート１８と吸収パッド５０Ａとを大きく離間させることができるので、便を収容する内部空間６４Ａの容積を大きくとることができる。従って、吸収パッド５０Ａの下（即ち、内部空間６４Ａ）に流入した便が、吸収パッド５０Ａの両側縁の隙間から漏れ出して、着用者６６の肌を汚す事態を回避することができる。
【００２０】
このように、図１〜図４に示す使い捨ておむつ１Ａは、吸収パッド５０Ａを上側に向かって大きく反り返らせることができるので、吸収パッド５０Ａを十分に起立させることが可能となる。従って、着用者の性器が直接接触している吸収パッド５０Ａを、軟便や水様便が流動・拡散するトップシート１８から十分に離間させることが可能となる。
【００２１】
また、吸収パッド５０Ａとトップシート１８との間に比較的大きな内部空間６４Ａを形成することができる。従って、一時に大量の軟便や水様便が排泄された場合でも、軟便や水様便を内部空間６４Ａに流入させることができ、内部空間６４Ａで軟便や水様便の吸収・捕捉を行うことが可能となる。即ち、軟便や水様便がトップシート１８上で広く拡散してしまった場合でも、着用者の肌や性器とは非接触の内部空間６４Ａにおいて軟便や水様便を吸収・捕捉させることができるため、軟便や水様便が性器周りに付着し難く、性器周りが汚される事態を有効に防止することができる。
【００２２】
［１−１］吸収パッド：
本発明の使い捨ておむつは、トップシートのうち便落下領域より前方の領域の少なくとも一部を被覆するように配置された吸収パッドを備えている。このような構成により、着用者の性器はトップシートの表面ではなく、吸収パッドの上面に当接することになる。
【００２３】
一般に、「吸収パッド」とは、吸収体を何らかのシート材で被包した吸収性物品を指す。但し、本発明の使い捨ておむつにおいては、吸収パッドは、第２吸収体と、少なくとも一部が液透過性材料からなり、第２吸収体の上面を被覆するように配置された上被覆シートと、第２吸収体の下面を被覆するように配置された下被覆シートと、吸収パッドを立体的に起立させる起立用伸縮材とを有する部材を意味するものとする。
【００２４】
第２吸収体は、後述する第１吸収体と同様の構成を採用することができる。第２吸収体の形状は特に限定されないが、矩形状のものを好適に用いることができる。
【００２５】
上被覆シートは、第２吸収体の上面を被覆するように配置されるシート材であり、少なくとも一部が液透過性材料からなるものである。このような構成により、排泄された尿が上被覆シートを透過して、第２吸収体に吸収される。上被覆シートは、後述するトップシートの構成に準じたものとすればよい。但し、上被覆シートについては、尿の透過性を向上させる観点から、その全体が液透過性材料からなるものが好ましい。
【００２６】
下被覆シートは、第２吸収体の下面を被覆するように配置されるシート材である。下被覆シートは、バックシートのようにおむつ外部への漏れを考慮する必要はないため、シートの材質は特に限定されない。但し、上被覆シート同様に液透過性材料によって構成することが好ましい。液透過性材料で構成することによって、第２吸収体によって吸収し切れなかった尿が下被覆シートを透過してトップシート上に落下するため、その尿を第２吸収体に吸収させることが可能となる。
【００２７】
上被覆シートと下被覆シートは、第２吸収体の周縁部に延在するフラップ部を形成している。即ち、上被覆シートと下被覆シートは、第２吸収体を上下から挟み込んだ状態で、周縁部が封着されており、上被覆シートと下被覆シートとの間に第２吸収体が介装されている。上被覆シートと下被覆シートの周縁部は、例えば、ホットメルト接着剤等で貼り合わせられる。
【００２８】
吸収パッドは便落下領域より前方の領域の少なくとも一部（即ち、全部又は一部）を被覆するように配置する。「便落下領域より前方の領域」であるから、おむつを着用した状態において、吸収パッドの後端が、着用者の肛門、好ましくは着用者の会陰部よりも前方に位置するように配置する。
【００２９】
また、１対の立体ギャザーが形成されている場合においては、吸収パッドは、その右端及び左端が、各立体ギャザーの固定端（下端縁、起立線と称する場合もある。）の近傍まで配置されていることが好ましい。これにより、吸収パッドの幅を最大限利用することが可能となる。このように、吸収パッドを幅広に配置することにより、着用者の性器と軟便・水様便との接触をより確実に回避することができ、吸収パッドとトップシートの間の内部空間に繋がる開口部を広くとることができる。通常、立体ギャザーの固定端の内側５ｍｍ程度の位置に吸収パッドの右端及び左端が位置するように配置すればよい。但し、おむつの製造時に、立体ギャザーとの干渉を起こさないよう、適宜設計することが好ましい。
【００３０】
吸収パッドは、トップシートの表面に対して接合されており、吸収パッドとトップシートとの接合部は、吸収パッドの前端縁部に形成されている。既に述べたように、吸収パッドの前端縁部を固定しておくことにより、トップシートと吸収パッドとを大きく離間させることができ、便を収容する内部空間の容積も大きくとることができる。トップシートの表面であれば、第１吸収体の直上に固定端が位置するように固定してもよいし、第１吸収体周縁のフラップ部に固定端が位置するように固定してもよい。
【００３１】
本発明の使い捨ておむつは、図１〜図４に示す使い捨ておむつ１Ａのように吸収パッド５０Ａとトップシート１８との接合部６２Ａを、吸収パッド５０Ａの前端縁部に形成した上で、更に接合部の形状に改良を加えたものである。即ち、本発明の使い捨ておむつは、図６〜図９に示す使い捨ておむつ１Ｂのように、吸収パッド５０Ｂとトップシート１８との接合部６２Ｂは、吸収パッド５０Ｂの左側縁部、前端縁部及び右側縁部がトップシート１８の表面に対して連続的に接合されるように形成されるとともに、吸収パッド５０Ｂの後端縁部は、トップシート１８の表面に対して非接合の状態となっている。例えば、吸収パッドが矩形状に形成されている場合であれば、吸収パッドの四辺のうち、左側縁部、前端縁部及び右側縁部の三辺を連続的に、全体がコの字状を呈するように接合して固定し、後端縁部の一辺のみを開放した状態とする。
【００３２】
前記のような構成では、起立用伸縮材が収縮すると、吸収パッドが立体的に起立し、トップシートから吸収パッドが離間するとともに、吸収パッドの後端側に、トップシートと吸収パッドの間の内部空間への開口部が形成される。従って、便落下空間に排泄された軟便や水様便を前記空間に流入させることが可能となる。一方、吸収パッドの左側縁部、前端縁部及び右側縁部は接合部によって連続的に封着されているので、前記内部空間に流入した軟便や水様便が脚周り開口部や前身頃側の端部から漏れる事態を効果的に抑制することができる。
【００３３】
吸収パッドは、吸収パッドを立体的に起立させる起立用伸縮材を有している。吸収パッドを立体的に起立させるためには、吸収パッドの一部に伸張状態で起立用伸縮材を固定することが必要である。
【００３４】
起立用伸縮材は、上被覆シートと第２吸収体の間に配置することが好ましい。第２吸収体の上側に伸縮材を配置することにより、第２吸収体に対して直接的に伸縮力を作用させることが可能となり、第２吸収体が上側に向かって反り返り易くなる。但し、吸収パッドの中央部に、あまりに多くの起立用伸縮材を配置すると、着用者がデリケートな性器部分に異物感を感じ、着用感を低下させる場合がある。従って、起立用伸縮材は吸収パッドの両側縁部に配置することが好ましい。
【００３５】
本発明の使い捨ておむつは、吸収パッドの起立用伸縮材を、おむつの前後方向に沿って配置する点に特徴がある。既に述べたように、起立用伸縮材をおむつの前後方向に沿って配置すると、吸収パッドは上側に向かって反り返り、後端縁がトップシートより離れることによって吸収パッドを立体的に起立させる。
【００３６】
一方、おむつの左右方向に沿って起立用伸縮材を配置した場合（例えば、フラップ部のうち第２吸収体の後側の領域に、吸収パッドの後端に沿って起立用伸縮材を配置した場合）には、吸収パッドの左右方向（横方向）に収縮力が作用する。従って、吸収パッドは水平方向に向かって収縮するだけで、上側に向かって反り返ることはない。即ち、吸収パッドとトップシートの間の内部空間及び内部空間への開口部とも大きく形成することが期待できない。
【００３７】
なお、「おむつの前後方向に沿って」とは、概ねおむつの前身頃側から後身頃側に向かって配置されていることを意味する。例えば、吸収パッドが矩形状に形成されている場合には、例えば、吸収パッドの側縁に沿って起立用伸縮材を配置すればよい。
【００３８】
起立用伸縮材の材質、固定方法、固定時の伸張率等は、後述する立体ギャザー伸縮材と同様の構成を採用することができる。但し、起立用伸縮材は、その後端が、吸収パッドの左側縁部及び右側縁部に形成された接合部の後端より後方に突出するように配置されていることが好ましい。
【００３９】
換言すれば、吸収パッドの左側縁部及び右側縁部においては、接合部を吸収パッドの後端まで形成せず、吸収パッドの後端側に一部非接合の領域を形成し、起立用伸縮材については、吸収パッドの左側縁部及び右側縁部の接合部を超えて、吸収パッドとトップシートとが接合されていない非接合の領域にまで配置する。
【００４０】
こうすることにより、起立用伸縮材が収縮すると、吸収パッドの後端縁部が捲くれ上がるように開口し、吸収パッドとトップシートとの間に形成される空間への開口部を大きく開口させることが可能となる。従って、便落下空間に排泄された軟便や水様便を前記内部空間に流入させ易くなる。また、吸収パッドの後端側を固定せず自由端とすれば、着用者の体圧がかかると吸収パッドは下側に押し付けられる。従って、吸収パッドの端部（後端部）が着用者の肌に当たって、肌を刺激することを回避できる。
【００４１】
本発明の使い捨ておむつにおいては、前記の効果をより確実に得るために、例えば図９に示すように起立用伸縮材６０Ｂの後端が、吸収パッド５０Ｂの後端まで配置されている。一方、起立用伸縮材の前端は、トップシートと固定されているため、起立用伸縮材の収縮力によって変形させることは好ましくない。従って、起立用伸縮材の前端を吸収パッドの前端まで配置する必要はない。
【００４２】
以下、起立用伸縮材の配置形態について、図面を参照しながら説明する。以下の例では図１に示す使い捨ておむつ１Ａの例で説明されているが、図６に示す使い捨ておむつ１Ｂにおいても同様の配置形態を採用することができる。
【００４３】
図１０Ａは、図１に示す使い捨ておむつ１Ａの吸収パッド５０Ａの部分を上面側から見た状態を示す模式図である。そして、図１０Ｂは、図１０Ａに示す吸収パッド５０ＡのＡ−Ａ’断面を示す模式図である。符号６２Ａはトップシートとの接合部を示す。
【００４４】
図１０Ａ及び図１０Ｂに示す吸収パッド５０Ａは、上被覆シート５６Ａと下被覆シート５８Ａとによって形成されたフラップ部のうち、第２吸収体５４Ａの左右側縁より外側の部分に、各２本ずつの起立用伸縮材６０Ａを配置した例である。
【００４５】
この構成は、起立用伸縮材６０Ａが第２吸収体５４Ａに重ならないため、図１１Ａに示す吸収パッド５０Ｃ等と比較すると、第２吸収体５４Ａを反らせる力は弱い。しかしながら、このような形態でも起立用伸縮材６０Ａの収縮力によって、第２吸収体５４Ａを反らせることは可能である。中でも、第２吸収体５４Ａが比較的薄い場合等、第２吸収体５４Ａが反り返り易い形態の場合には、十分に本発明の効果を発揮させることができる。
【００４６】
図１１Ａは、使い捨ておむつの吸収パッド５０Ｃの部分を上面側から見た状態を示す模式図である。そして、図１１Ｂは、図１１Ａに示す吸収パッド５０ＣのＡ−Ａ’断面を示す模式図である。符号６２Ｃはトップシートとの接合部を示す。
【００４７】
図１１Ａ及び図１１Ｂに示す吸収パッド５０Ｃは、上被覆シート５６Ｃと下被覆シート５８Ｃとによって形成されたフラップ部のうち、第２吸収体５４Ａの左右側縁より外側の部分に、各１本ずつの起立用伸縮材６０Ｃを配置し、上被覆シート５６Ｃと第２吸収体５４Ｃの間にも、各１本ずつの起立用伸縮材６０Ｃを配置した例である。
【００４８】
この構成は、起立用伸縮材６０Ｃの一部（４本中２本）が第２吸収体５４Ｃと重なるように配置されているため、図１０Ａに示す吸収パッド５０Ａと比較して、第２吸収体５４Ｃが反り返り易いという利点がある。また、起立用伸縮材６０Ｃの一部を第２吸収体５４Ｃ上に配置しているため、専ら起立用伸縮材６０Ｃの配置のためにフラップ部の面積を広げる必要がない。即ち。図１０Ａに示す吸収パッド５０Ａと比較して、フラップ部を狭く（面積を少なく）構成することができる。
【００４９】
図１２Ａは、使い捨ておむつの吸収パッド５０Ｄの部分を上面側から見た状態を示す模式図である。そして、図１２Ｂは、図１２Ａに示す吸収パッド５０ＤのＡ−Ａ’断面を示す模式図である。符号６２Ｄはトップシートとの接合部を示す。
【００５０】
図１２Ａ及び図１２Ｂに示す吸収パッド５０Ｄは、上被覆シート５６Ｄと下被覆シート５８Ｄとによって形成されたフラップ部のうち、第２吸収体５４Ｄの左右側縁より外側の部分に、各１本ずつの起立用伸縮材６０Ｄを配置し、上被覆シート５６Ｄと第２吸収体５４Ｄの間には、第２吸収体５４Ｄの左右側縁近傍に、各５本ずつの起立用伸縮材６０Ｄを配置した例である。
【００５１】
この構成は、第２吸収体５４Ｄと重なるように配置された起立用伸縮材６０Ｄが１０本（左右各５本）と多いため、例えば、第２吸収体５４Ｄが比較的厚い場合等、第２吸収体５４Ｄが反り返り難い形態の場合であっても、十分に本発明の効果を発揮させることができる。
【００５２】
図１３Ａは、使い捨ておむつの吸収パッド５０Ｅの部分を上面側から見た状態を示す模式図である。そして、図１３Ｂは、図１３Ａに示す吸収パッド５０ＤのＡ−Ａ’断面を示す模式図である。符号６２Ｅはトップシートとの接合部を示す。
【００５３】
図１３Ａ及び図１３Ｂに示す吸収パッド５０Ｅは、フラップ部を有しない吸収パッドの例である。吸収パッド５０Ｅは、上被覆シート５６Ｅの側縁部によって、第２吸収体５４Ｅと下被覆シート５８Ｅを包み込むように構成し、上被覆シート５６Ｅと第２吸収体５４Ｅの間には、第２吸収体５４Ｅの左右側縁近傍に、各２本ずつの起立用伸縮材６０Ｅを配置した例である。即ち、上被覆シート５６Ｅと第２吸収体５４Ｅの間にのみ起立用伸縮材６０Ｅが配置されている。
【００５４】
この構成は、フラップ部を有しないため、吸収パッド５０Ｅの幅方向全域で吸収を行うことが可能である。また、フラップ部を有しない分だけ、吸収パッド５０Ｅを幅狭に構成することができるので、狭い部分に配置する吸収パッドとして好適に用いることができる。
【００５５】
起立用伸縮材としては、従来の使い捨ておむつで使用されてきた伸縮材を用いることができる。具体的には、天然ゴムや合成ゴム（ウレタンゴム等）の弾性材からなる糸ゴム、平ゴムの他、伸縮性ネット、伸縮性フィルム、伸縮性フォーム（ウレタンフォーム等）を用いることができる。
【００５６】
起立用伸縮材は、熱可塑性樹脂（例えば、ホットメルト接着剤等）を用いて、被覆シートと第２吸収体に対して、又は上被覆シートと下被覆シートに対して、固定すればよい。また、被覆シートと第２吸収体、又は上被覆シートと下被覆シートを、起立用伸縮材とともに熱溶着させて接着することもできる。熱溶着の方法としては、例えば、ヒートシール、超音波溶着等の方法を用いることができる。
【００５７】
［２］本発明の使い捨ておむつの他の部分の構成：
本発明の使い捨ておむつは、例えば、図６〜図９に示す使い捨ておむつ１Ｂのように、前身頃２、股下部４、後身頃６の各部から形成され、第１吸収体２２と、少なくとも一部が液透過性材料からなり、第１吸収体２２の上面を被覆するように配置されたトップシート１８と、液不透過性材料からなり、第１吸収体２２の下面を被覆するように配置されたバックシート２０と、を備えた使い捨ておむつである。
【００５８】
［２−１］第１吸収体：
第１吸収体は、着用者の尿を吸収し、保持するための部材である。第１吸収体は、着用者の尿や体液を吸収し保持する必要から、吸収性材料によって構成される。
【００５９】
第１吸収体を構成する吸収性材料としては、使い捨ておむつ、その他の吸収性物品に通常使用される従来公知の吸収性材料、例えば、木材パルプや非木材パルプを綿状にしたフラッフパルプを主材とし、これに高吸水性ポリマー（Ｓｕｐｅｒ  Ａｂｓｏｒｂｅｎｔ  Ｐｏｌｙｍｅｒ；以下、「ＳＡＰ」と記す。）を併用したものが好ましい。また、前記フラッフパルプの他に、熱可塑性樹脂からなる繊維やアセテート、レーヨン等からなる繊維を用いることもできる。これらの材料は、吸水紙等で全体を包み込むことにより、ＳＡＰが外部に漏れ出すことを防止できるので好ましい。更には、不織布や吸水紙の表面にＳＡＰを固定し、或いは複数の不織布や吸水紙の層間にＳＡＰを挟持するように固定したＳＡＰシートを吸収性材料として用いることもできる。
【００６０】
これらの吸収性材料は、通常、単層又は複層のマット状として用いられる。この際、前記の吸収性材料のうち１種を単独で用いてもよいし、２種以上を併用してもよい。中でも、フラッフパルプ１００質量部に対して、１０〜５００質量部程度のＳＡＰを併用したものが好ましい。この際、ＳＡＰはフラッフパルプの各マット中に均一に混合されていてもよいし、複層のフラッフパルプの層間に層状に配置されていてもよい。
【００６１】
第１吸収体は、トップシートとバックシートの間の少なくとも一部に介装されることが好ましい。通常、第１吸収体は、トップシートとバックシートの間に挟み込まれ、その周縁部が封着されることによって、トップシートとバックシートとの間に介装される。従って、第１吸収体の周縁部にはトップシートとバックシートの間に第１吸収体が介装されていないフラップ部が形成されることになる。
【００６２】
第１吸収体は、その全体が親水性シートによって包み込まれていることが好ましい。このような構成は、第１吸収体からＳＡＰが漏洩することを防止し、第１吸収体に形状安定性を付与することができるという利点がある。
【００６３】
第１吸収体の形状については特に制限はないが、従来の使い捨ておむつ、その他の吸収性物品において使用される形状、例えば、矩形状、砂時計型、ひょうたん型、Ｔ字型等を挙げることができる。
【００６４】
［２−２］トップシート：
トップシートは、第１吸収体の上面（おむつの装着時において着用者の肌側に位置する面）を被覆するように配置されるシートである。トップシートは、その下面側に配置された第１吸収体に、着用者の尿を吸収させる必要から、その少なくとも一部（全部又は一部）が液透過性材料により構成される。
【００６５】
トップシートを構成する液透過性材料としては、例えば、織布、不織布、多孔性フィルム等を挙げることができる。中でも、ポリプロピレン、ポリエチレン、ポリエステル、ナイロン等の熱可塑性樹脂からなる不織布に親水化処理を施したものを用いることが好ましい。
【００６６】
トップシートは単一のシート材によって構成されていてもよいが、複数のシート材によって構成されていてもよい。テープ型使い捨ておむつにおいては、おむつの中央部には液透過性材料からなるトップシート（センターシート）を配置し、おむつのサイドフラップ部分には撥水性材料からなるトップシート（サイドシート）を配置する形態がよく利用される。
【００６７】
サイドシートを構成する撥水性材料としては、スパンボンドやカードエンボス等の不織布を用いることができる。中でも、ＳＭＳ（スパンボンド／メルトブロー／スパンボンド）、ＳＭＭＳ（スパンボンド／メルトブロー／メルトブロー／スパンボンド）等の不織布は耐水圧が高いという利点があり、好適に用いることができる。
【００６８】
［２−３］バックシート：
バックシートは、第１吸収体の下面（おむつの装着時において着用者の着衣側に位置する面）を被覆するように配置されるシートである。バックシートは、着用者の尿がおむつ外部に漏洩してしまうことを防止する必要から、液不透過性材料によって構成される。
【００６９】
バックシートを構成する液不透過性材料としては、例えば、ポリエチレン等の樹脂からなる液不透過性フィルム等を挙げることができ、中でも、微多孔性ポリエチレンフィルムを用いることが好ましい。この微多孔性ポリエチレンフィルムは、０．１〜数μｍの微細な孔が多数形成されており、液不透過性ではあるが透湿性を有するため、おむつ内部の蒸れを防止することができるという利点がある。
【００７０】
なお、バックシートには、その外表面側にシート材（カバーシート）を貼り合わせてもよい。このカバーシートは、バックシートを補強し、バックシートの手触り（触感）を良好なものとするために用いられる。
【００７１】
カバーシートを構成する材料としては、例えば、織布、不織布等を挙げることができる。中でも、ポリエチレン、ポリプロピレン、ポリエステル等の熱可塑性樹脂からなる乾式不織布、湿式不織布を用いることが好ましい。
【００７２】
［２−４］立体ギャザー：
本発明の使い捨ておむつは、例えば、図６及び図７に示す使い捨ておむつ１Ｂのように、トップシート１８の表面のうち、第１吸収体２２の両側縁に沿って、撥水性シートからなり、立体的に起立可能に構成された、一対の立体ギャザー２６が付設されていることが好ましい。
【００７３】
立体ギャザーは、着用者の排泄した尿の横漏れを防止するための部材であり、立体的に起立可能なように構成された防漏壁である。この立体ギャザーを形成することにより、立体ギャザーが防波堤となり、おむつの脚周り開口部等からの漏れ（いわゆる「横漏れ」）を有効に防止することができる。
【００７４】
立体ギャザーの構成は、従来の使い捨ておむつ、その他の吸収性物品に使用される構成を採用することができる。例えば、シート材の一部に伸縮材（立体ギャザー伸縮材）を配置し、その立体ギャザー伸縮材によってシート材にギャザー（襞）を形成したもの等を好適に用いることができる。
【００７５】
立体ギャザーを構成するシート材としては、立体ギャザーの防漏性を向上させるという観点から、撥水性材料からなるシート（撥水性シート）を用いることが好ましい。
【００７６】
立体ギャザー伸縮材としては、従来の使い捨ておむつで使用されてきた伸縮材を好適に用いることができる。具体的には、天然ゴムや合成ゴム（ウレタンゴム等）の弾性材からなる糸ゴム、平ゴムの他、伸縮性ネット、伸縮性フィルム、伸縮性フォーム（ウレタンフォーム等）等を挙げることができる。
【００７７】
前記のような立体ギャザー伸縮材は、撥水性シートに対して、接着剤その他の手段により固定される。固定方法としては、例えば、ホットメルト接着剤、その他の流動性の高い接着剤を用いた接着であってもよいし、ヒートシールをはじめとする熱や超音波等による溶着であってもよい。
【００７８】
立体ギャザー伸縮材は、立体ギャザーに十分な伸縮力を作用させるため、伸長状態で固定することが好ましい。立体ギャザー伸縮材が天然ゴムや合成ゴムから構成される場合には、１２０〜４００％の伸長状態で固定することが好ましく、２００〜３００％の伸長状態で固定することがより好ましい。このような範囲の伸長状態で固定することにより、十分な伸縮力を作用させることが可能となり、立体ギャザーを確実に起立させることができる。
【００７９】
立体ギャザーの種類としては、（１）おむつの内側に向かって傾倒する内倒しギャザー、（２）おむつの外側に向かって傾倒する外倒しギャザー、（３）高さ方向の一部に、曲げ部や折り返し部を形成した立体ギャザー（Ｃ折りギャザーやＺ折りギャザー等）等を挙げることができる。これらの中では、防漏性が高い点において内倒しギャザーが好ましい。
【００８０】
なお、立体ギャザーは、第１吸収体の両側縁全域に渡って形成することが好ましいが、尿の横漏れを防止するという目的から、少なくともおむつの股下部に相当する部分に配置されていればよい。
【００８１】
「第１吸収体の各側縁に沿って」とは、概ね第１吸収体の側縁と同方向に付設されていることを意味する。但し、第１吸収体の側縁は、脚周り開口部に沿って曲線的に形成される場合もあり、直線的に形成されているとは限らない。従って、必ずしも第１吸収体の側縁に接するように付設されている必要はなく、第１吸収体の側縁と同一の軌跡を描くように付設されている必要もない。通常は、第１吸収体の形状に拘らず、直線的に立体ギャザーを配置することが多い。
【００８２】
［２−５］各種伸縮材：
使い捨ておむつにおいては、漏れ防止やフィット性向上を目的として、各種伸縮材が配置される。本発明の使い捨ておむつは、テープ型使い捨ておむつの場合であれば、例えば、図６及び図７に示す使い捨ておむつ１Ｂのように、脚周り伸縮材４０を配置し、ウエスト周り伸縮材４２を配置することが好ましい。一方、パンツ型の使い捨ておむつにおいては、これに加えて腹周り伸縮材を配置することも行われている。
【００８３】
脚周り伸縮材は、脚周り開口部に配置される伸縮材である。この脚周り伸縮材を配置することによって、脚周り開口部に伸縮性に富むギャザー（レグギャザー）を形成することができる。従って、脚周りに隙間が形成され難くなり、脚周り開口部からの尿漏れを効果的に防止することができる。
【００８４】
脚周り伸縮材は、テープ型使い捨ておむつの場合であれば、脚周り開口部に内接するように直線的に配置する構成等を採用することができる。一方、パンツ型使い捨ておむつの場合には、脚周り開口部の軌跡に沿って曲線的に配置する構成等を採用することができる。
【００８５】
ウエスト周り伸縮材は、ウエスト周り開口部に配置される伸縮材である。ウエスト周り伸縮材を配置することによって、ウエスト開口部に伸縮性に富むギャザー（ウエストギャザー）を形成することができる。このウエストギャザーにより、ウエスト周りに隙間が形成され難くなり、ウエスト周りからの尿漏れを防止することができる他、着用者へのおむつのフィット性が良好となり、おむつのずり下がりが防止される。
【００８６】
ウエスト周り伸縮材は、テープ型使い捨ておむつの場合であれば、少なくともおむつの後身頃側の端部に沿って、好ましくは後身頃側及び前身頃側の端部に沿って、帯状の伸縮材（ウレタンフォーム等）を幅方向の中央部に配置する構成等を採用することができる。一方、パンツ型使い捨ておむつの場合には、ウエスト周り開口部に沿って線状の伸縮材（糸ゴムや平ゴム等）を全周に渡って配置する構成等を採用することができる。
【００８７】
腹周り伸縮材は、パンツ型使い捨ておむつのウエスト周り開口部と脚周り開口部との間の部分（即ち、着用者の腹周りに相当する部分）に配置される伸縮材である。腹周り伸縮材を配置することによって、着用者の腹周りに伸縮性に富むタミーギャザーを形成することができる。このタミーギャザーは、ウエストギャザーと相俟って、おむつのフィット性やずり下がり防止効果を一層優れたものとすることができる。
【００８８】
これらの伸縮材については、既に述べた立体ギャザー伸縮材と同様の構成を採用することができる。そして、ギャザーの収縮の程度等を勘案した上で、構成材料、その材料の伸長率、固定時の伸長状態等を決定すればよい。
【実施例】
【００８９】
本発明の使い捨ておむつについて、図面を参照しながら更に具体的に説明する。但し、本発明の使い捨ておむつは、その発明特定事項を備えた使い捨ておむつを全て包含するものであり、以下の実施例に限定されるものではない。
【００９０】
なお、「テープ型使い捨ておむつ」とは、図６〜図９に示す使い捨ておむつ１Ｂのように、前身頃２、股下部４、後身頃６の各部から形成され、第１吸収体２２と、少なくとも一部が液透過性材料からなり、第１吸収体２２の上面を被覆するように配置されたトップシート１８と、液不透過性材料からなり、第１吸収体２２の下面を被覆するように配置されたバックシート２０と、後身頃６の左右の各側縁部６ａ，６ｂから延出するように配置され、前身頃２と後身頃６とを固定するための止着テープ１０を備えた使い捨ておむつを意味する。
【００９１】
（参考例１）
参考例１として、図１〜図４に示すテープ型の使い捨ておむつ１Ａについて説明する。
【００９２】
［１］吸収パッドの構成：
使い捨ておむつ１Ａは、トップシート１８のうち便落下領域５２Ａより前方の領域の少なくとも一部を被覆するように配置された吸収パッド５０Ａを備えている。
【００９３】
吸収パッド５０Ａは、第２吸収体５４Ａと、液透過性材料からなり、第２吸収体５４Ａの上面を被覆するように配置された上被覆シート５６Ａと、第２吸収体５４Ａの下面を被覆するように配置された下被覆シート５８Ａと、吸収パッド５０Ａを立体的に起立させる起立用伸縮材６０Ａとを有している。
【００９４】
第２吸収体５４Ａは、フラッフパルプ１００質量部に対して、１００質量部のＳＡＰを含む吸収体であり、その全体がティシュによって包み込まれている。第２吸収体５４Ａは幅１００ｍｍ×長さ１７３ｍｍの矩形状である。第２吸収体５４Ａは、上被覆シート５６Ａと下被覆シート５８Ａの間に挟み込まれ、その周縁部が封着されることによって、上被覆シート５６Ａと下被覆シート５８Ａとの間に介装されている。
【００９５】
上被覆シート５６Ａは、親水化処理を施したポリプロピレン繊維をウェブとした液透過性のエアスルー不織布により形成されている。下被覆シート５８Ａも、ポリプロピレン製のスパンボンド不織布に親水化処理を施した液透過性のスパンボンド不織布により形成されている。上被覆シート５６Ａ及び下被覆シート５８Ａは、縦１９５ｍｍ×横１２０ｍｍのシート材である。
【００９６】
上被覆シート５６Ａと下被覆シート５８Ａは、第２吸収体５４Ａを上下から挟み込んだ状態でホットメルト接着剤によって貼り合わされ、周縁部が封着されている。即ち、上被覆シート５６Ａと下被覆シート５８Ａとの間に第２吸収体５４Ａが介装されるとともに、第２吸収体５４Ａの周縁部に延在するフラップ部が形成されている。吸収パッド５０Ａ前端側のフラップ部は幅１５ｍｍ、左側縁及び右側縁側のフラップ部は幅１０ｍｍ、後端側のフラップ部は幅７ｍｍである。
【００９７】
使い捨ておむつ１Ａの前後方向の長さは４８０ｍｍであり、左右方向の最大幅は３３０ｍｍである。吸収パッド５０Ａは、その後端が、使い捨ておむつ１Ａを長さ方向と直交するように二分割する直線より１０ｍｍ前に位置するように配置されている。また、吸収パッド５０Ａは、その右側縁及び左側縁が、１対の立体ギャザー２６の内側の領域であって、各立体ギャザー２６の固定端の内側１０ｍｍの位置に位置するように配置されている。
【００９８】
吸収パッド５０Ａは、トップシート１８の表面に固定されている。吸収パッド５０Ａとトップシート１８との接合部６２Ａは、吸収パッド５０Ａの前端縁部のみがトップシート１８の表面に対して接合されるように形成されるとともに、吸収パッド５０Ａの左側縁部、右側縁部及び後端縁部は、トップシート１８の表面に対して非接合の状態となっている。
【００９９】
吸収パッド５０Ａは、起立用伸縮材６０Ａを有している。起立用伸縮材６０Ａは、上被覆シート５６Ａと下被覆シート５８Ａとによって形成されるフラップ部に配置されており、より具体的には、おむつの前後方向、即ち、第２吸収体５４Ａの側縁に沿って、フラップ部のうち第２吸収体５４Ａの左右両側の領域に直線的に配置されている。また、起立用伸縮材６０Ａは、第２吸収体５４Ａの左右両側に各２本ずつ、２５０％の伸張率で固定されている。
【０１００】
起立用伸縮材６０Ａは、その後端が、吸収パッド５０Ａの後端に至るまで配置されている。一方、起立用伸縮材６０Ａの前端は、吸収パッド５０Ａの後端から１４０ｍｍ前方の位置まで配置されている。
【０１０１】
［２］他の部分の構成：
第１吸収体２２は、フラッフパルプ１００質量部に対して、１００質量部のＳＡＰを含む吸収体であり、その全体がティシュによって包み込まれている。第１吸収体２２は矩形状であり、トップシート１８とバックシート２０の間に挟み込まれ、その周縁部が封着されることによって、トップシート１８とバックシート２０との間に介装されている。
【０１０２】
トップシート１８は、複数のシート材によって構成されている。おむつの中央部に液透過性材料からなるトップシート（センターシート１８ａ）が配置され、おむつのサイドフラップ８部分に撥水性材料からなるトップシート（サイドシート１８ｂ）が配置されている。センターシート１８ａは、親水化処理を施したポリプロピレン繊維を原綿として製造された、液透過性のエアレイド不織布により形成されている。一方、サイドシート１８ｂは、撥水性で耐水圧が高いＳＭＳ不織布によって構成されている。
【０１０３】
バックシート２０は、水蒸気は通過するが、水は通過しない大きさの微細な孔（孔径０．１〜数μｍ程度）が多数形成された微多孔性ポリエチレンフィルムによって構成されている。そして、バックシート２０の外表面側にはポリプロピレン製の不織布からなるカバーシート２８が貼り合わされている。
【０１０４】
また、使い捨ておむつ１Ａは、後身頃６の左右の側縁部６ａ，６ｂに、止着テープ１０が１個ずつ配置されている。この止着テープ１０は、不織布からなる基材４８と基材４８の表面に付設されたメカニカルファスナーのフック材４４とからなるものである。一方、前身頃２には、図示されないメカニカルファスナーのループ材からなるフロントパッチが配置されており、フック材４４を固定することが可能なように構成されている。
【０１０５】
使い捨ておむつ１Ａにおいては、おむつの前後方向に向かって直線的に、一対の立体ギャザー２６が付設されている。この立体ギャザー２６は撥水性シートからなり、サイドシート１８ｂと一体的に構成された内倒し式の立体ギャザーである。そして、立体ギャザー２６の高さ（下端縁３８から上端縁３４までの長さ）は、４０ｍｍである。また、立体ギャザー２６は、使い捨ておむつ１Ａの長手方向全域をカバーする長さに形成されている。
【０１０６】
立体ギャザー２６の上端縁３４近傍には立体ギャザー伸縮材３６が配置されている。この立体ギャザー２６は、撥水性シート３２の自由端側（トップシート１８に固定されていない側の端部）を折り返し、その折り返し部分に２本の立体ギャザー伸縮材３６を挟み込むように配置したものである。この立体ギャザー伸縮材３６は、２５０％の伸張率で撥水性シート３２に固定されている。
【０１０７】
使い捨ておむつ１Ａは、おむつの長手方向に沿って、立体ギャザー２６の下端縁３８（固定端、起立線）より外側の部分に、直線的に三本の脚周り伸縮材４０を配置している。また、使い捨ておむつ１Ａは、おむつの前身頃２の端縁及び後身頃６の端縁に沿って帯状のウエスト周り伸縮材４２を配置している。この帯状のウエスト周り伸縮材４２は、ウレタンフォームによって構成されている。
【０１０８】
［３］製造方法：
以下、図１〜図４に示す使い捨ておむつ１Ａの製造方法を説明する。
【０１０９】
まず、下被覆シート５８Ａの上面に、フラッフパルプとＳＡＰの混合マットをティシュで包んだ第２吸収体５４Ａを配置し、更にその上面に上被覆シート５６Ａを配置する。次いで、第２吸収体５４Ａの周縁部を上被覆シート５６Ａと下被覆シート５８Ａとで挟み込むように封着することによって吸収パッド５０Ａを得る。
【０１１０】
一方、バックシート２０の材料となる長尺のシート材（バックシート材）の表面に、ティシュに包まれた第１吸収体２２及び脚周り伸縮材４０を載置し、更にその表面にトップシート１８の材料となる長尺のシート材（トップシート材）及び予め形成しておいた吸収パッド５０Ａを載置することにより、おむつの中間体となる積層体（おむつ連続体）を得る。
【０１１１】
この際、トップシート材は、センターシート１８ａに相当するトップシート材（センターシート材）と、サイドシート１８ｂに相当するトップシート材（サイドシート材）の２種類が使用される。
【０１１２】
センターシート材には、予め形成しておいた吸収パッド５０Ａを貼り合わせておく。吸収パッド５０Ａは、その左側縁部、前端縁部及び右側縁部を連続的に、全体がコの字状を呈するように、センターシート材に貼り合わせる。一方、サイドシートシート材は折り返し部分を設けることによって、立体ギャザー２６となる部分を形成しておく。その後、センターシート材に対して、サイドシート材を貼り合わせる。
【０１１３】
前記のようにして得られたおむつ連続体は、おむつの脚周り開口部に相当する部分を円弧状に切り抜いて切除し（Ｒカット）、脚周り開口部を形成する。最後に、おむつの後身頃６の側縁部６ａ，６ｂに、止着テープ１０を付設し、おむつ連続体を個々のおむつに切断することにより、使い捨ておむつ１Ａを製造する。この際、後身頃６の左右の側縁部６ａ，６ｂと止着テープ１０の末端部とはホットメルト接着剤によって接合する。
【０１１４】
なお、上記のような方法の他、予めトップシート材に伸縮性止着テープを付設しておき、バックシート材の表面に、親水性シートに包まれた第１吸収体及び脚周り伸縮材を載置し、更にその表面に伸縮性止着テープが付設されたトップシート材を載置することにより、おむつ連続体を得てもよい。
【０１１５】
また、前記のような一連の工程は、機械的な手段によって連続的に行うことが可能である。例えば、長尺のシート材をローラーから連続的に送出する等の方法・装置を採用することにより、テープ型おむつの連続製造が可能となり、生産性の向上に資する。
【０１１６】
（実施例１）
実施例１として、図６〜図９に示すテープ型の使い捨ておむつ１Ｂについて説明する。実施例１の使い捨ておむつ１Ｂは、接合部６２Ｂの構成を除いては、参考例１の使い捨ておむつ１Ａと同様に構成してある。以下、接合部６２Ｂの構成を中心に説明する。
【０１１７】
吸収パッド５０Ｂは、トップシート１８の表面、より具体的には、第１吸収体２２の左右両側のフラップ部に固定端が位置するように固定されている。吸収パッド５０Ｂとトップシート１８との接合部６２Ｂは、吸収パッド５０Ｂの左側縁部、前端縁部及び右側縁部がトップシート１８の表面に対して連続的に接合されるように形成されるとともに、吸収パッド５０Ｂの後端縁部は、トップシート１８の表面に対して非接合の状態となっている。具体的には、吸収パッド５０Ｂの四辺のうち、左側縁部、前端縁部及び右側縁部の三辺をコの字型に接合されて固定されており、後端縁部の一辺のみが開放されて、開口部を形成している。
【０１１８】
接合部６２Ｂは、吸収パッド５０Ｂの左側縁部及び右側縁部において、吸収パッド５０Ｂの後端から３０ｍｍ前方の位置を起点として、吸収パッド５０Ｂの前端に至るまで形成されている。即ち、接合部６２Ｂは、吸収パッド５０Ｂの後端からその３０ｍｍ前方の部分までは非接合の状態となっている。
【０１１９】
これに対し、起立用伸縮材６０Ｂは、吸収パッド５０Ｂの後端から１４０ｍｍ前方の位置を起点として、吸収パッド５０Ｂの後端に至るまで配置されている。即ち、起立用伸縮材６０Ｂは、その後端が、吸収パッド５０Ｂの左側縁部及び右側縁部に形成された接合部６２Ｂの後端より３０ｍｍ後方に突出するように配置されている。
【産業上の利用可能性】
【０１２０】
本発明の使い捨ておむつは、乳幼児用、或いは介護を必要とする高齢者や障害者等の成人用のおむつとして好適に利用することができる。
【０１２１】
なお、本発明の使い捨ておむつは、テープ型の使い捨ておむつの他、パンツ型の使い捨ておむつにも適用することができる。
【０１２２】
「パンツ型の使い捨ておむつ」とは、前身頃と後身頃の対応する側縁部同士を接合することによって、一つのウエスト周り開口部及び一対の脚周り開口部が形成され、予めパンツ型に構成されたおむつを意味するものとする。
【０１２３】
例えば、着用者の排泄物を吸収し、保持する機能（吸収・保持機能）を担う吸収性本体と、着用者の身体を被包する機能（装着機能）を担う外装部材とから構成され、外装部材の内側に吸収性本体が配置された２ピースタイプのパンツ型の使い捨ておむつであれば、吸収性本体を構成するトップシートの表面上に流動阻害領域を形成すること等によって、本発明の効果を享受することができる。
【図面の簡単な説明】
【０１２４】
【図１】使い捨ておむつの一の実施形態を示す平面図であり、使い捨ておむつを展開し、おむつのトップシート側から見た状態を示す平面図である。
【図２】使い捨ておむつの一の実施形態を示す模式図であり、図１に示す使い捨ておむつをＸ−Ｘ’線に沿って切断した断面を示す模式図である。
【図３】使い捨ておむつの一の実施形態を示す模式図であり、図１に示す使い捨ておむつをＹ−Ｙ’線に沿って切断した断面を示す模式図である。
【図４】使い捨ておむつの一の実施形態を示す部分平面図であり、図１に示す使い捨ておむつのセンターシート部分のみを示す平面図である。
【図５】使い捨ておむつの一の実施形態を示す模式図であり、図１に示す使い捨ておむつの使用状態を示す模式図である。
【図６】本発明の使い捨ておむつの別の実施形態を示す平面図であり、使い捨ておむつを展開し、おむつのトップシート側から見た状態を示す平面図である。
【図７】本発明の使い捨ておむつの別の実施形態を示す模式図であり、図６に示す使い捨ておむつをＸ−Ｘ’線に沿って切断した断面を示す模式図である。
【図８】本発明の使い捨ておむつの別の実施形態を示す模式図であり、図６に示す使い捨ておむつをＹ−Ｙ’線に沿って切断した断面を示す模式図である。
【図９】本発明の使い捨ておむつの別の実施形態を示す部分平面図であり、図６に示す使い捨ておむつのセンターシート部分のみを示す平面図である。
【図１０Ａ】使い捨ておむつの一の実施形態を示す部分平面図であり、図１に示す使い捨ておむつの吸収パッド部分のみを示す平面図である。
【図１０Ｂ】使い捨ておむつの一の実施形態を示す模式図であり、図１０Ａに示す吸収パッドをＡ−Ａ’線に沿って切断した断面を示す模式図である。
【図１１Ａ】使い捨ておむつの別の実施形態を示す部分平面図であり、使い捨ておむつの吸収パッド部分のみを示す平面図である。
【図１１Ｂ】使い捨ておむつの別の実施形態を示す模式図であり、図１１Ａに示す吸収パッドをＡ−Ａ’線に沿って切断した断面を示す模式図である。
【図１２Ａ】使い捨ておむつの更に別の実施形態を示す部分平面図であり、使い捨ておむつの吸収パッド部分のみを示す平面図である。
【図１２Ｂ】使い捨ておむつの更に別の実施形態を示す模式図であり、図１２Ａに示す吸収パッドをＡ−Ａ’線に沿って切断した断面を示す模式図である。
【図１３Ａ】使い捨ておむつの更にまた別の実施形態を示す部分平面図であり、使い捨ておむつの吸収パッド部分のみを示す平面図である。
【図１３Ｂ】使い捨ておむつの更にまた別の実施形態を示す模式図であり、図１３Ａに示す吸収パッドをＡ−Ａ’線に沿って切断した断面を示す模式図である。
【符号の説明】
【０１２５】
１Ａ，１Ｂ：使い捨ておむつ、２：前身頃、２ａ，２ｂ：側縁部、４：股下部、６：後身頃、６ａ，６ｂ：側縁部、８：サイドフラップ、１０：止着テープ、１８：トップシート、１８ａ：センターシート、１８ｂ：サイドシート、２０：バックシート、２２：第１吸収体、２６：立体ギャザー、２８：カバーシート、３２：撥水性シート、３４：上端縁、３６：立体ギャザー伸縮材、３８：下端縁、４０：脚周り伸縮材、４２：ウエスト周り伸縮材、４４：フック材、４８：基材、５０Ａ，５０Ｂ，５０Ｃ，５０Ｄ，５０Ｅ：吸収パッド、５２：便落下領域、５４Ａ，５４Ｂ，５４Ｃ，５４Ｄ，５４Ｅ：第２吸収体、５６Ａ，５６Ｂ，５６Ｃ，５６Ｄ，５６Ｅ：上被覆シート、５８Ａ，５８Ｂ，５８Ｃ，５８Ｄ，５８Ｅ：下被覆シート、６０Ａ，６０Ｂ，６０Ｃ，６０Ｄ，６０Ｅ：起立用伸縮材、６２Ａ，６２Ｂ，６２Ｃ，６２Ｄ，６２Ｅ：接合部、６４Ａ，６４Ｂ：内部空間、６６：着用者。
【図１】
0004955529.tif 000002
【図２】
0004955529.tif 000003
【図３】
0004955529.tif 000004
【図４】
0004955529.tif 000005
【図５】
0004955529.tif 000006
【図６】
0004955529.tif 000007
【図７】
0004955529.tif 000008
【図８】
0004955529.tif 000009
【図９】
0004955529.tif 000010
【図１０Ａ】
0004955529.tif 000011
【図１０Ｂ】
0004955529.tif 000012
【図１１Ａ】
0004955529.tif 000013
【図１１Ｂ】
0004955529.tif 000014
【図１２Ａ】
0004955529.tif 000015
【図１２Ｂ】
0004955529.tif 000016
【図１３Ａ】
0004955529.tif 000017
【図１３Ｂ】
0004955529.tif 000018